(57)【要約】【課題】この発明は角座（１）に突起（２）のついた金具（Ａ）に本体（５）の下向きコの字型（６）に中空スリーブ（９）、（９′）が一体になった金具（Ｂ）と手摺パイプ（Ｃ）が組み込まれて手摺端部フラット固定金具を提供する。【解決手段】金具（Ａ）の角座（１）に中空突起（２）を設け、その上面にねじ切り穴（３）を設け、又中空突起（２）内にも木ねじ穴（４）を設け、金具（Ｂ）は本体（５）からなり、中空状の下向きコの字型（６）で上面に皿ビス穴（７）を設け、その本体（５）と一体に段差（８）を設け、中空スリーブ（９）、（９′）を設け、手摺パイプ（Ｃ）の切断切り口内径（１０）に金具（Ｂ）の中空スリーブ（９）、（９′）を段差（８）まで差し込み、パイプ外面（１１）と金具（Ｂ）の本体（５）の外面が同一面になるよう設定し、金具（Ａ）と金具（Ｂ）と手摺パイプ（Ｃ）を一体にしたことを特徴とする。【選択図】　図１
2004003237.tif 000002
【特許請求の範囲】
【請求項１】
金具（Ａ）の角座（１）に中空突起（２）を設け、その上面にねじ切り穴（３）を設け、又中空突起（２）内にも木ねじ穴（４）を設け、金具（Ｂ）は本体（５）からなり、中空状の下向きコの字型（６）の上面に皿ビス穴（７）を設け、その本体（５）と一体に段差（８）を設け、中空スリーブ（９）、（９′）を設け、手摺パイプ（Ｃ）の切断切り口内径（１０）に金具（Ｂ）の中空スリーブ（９）、（９′）を段差（８）まで差し込み、パイプ外面（１１）と金具（Ｂ）の本体（５）の外面が同一面になるよう設定し、金具（Ａ）と金具（Ｂ）と手摺パイプ（Ｃ）を一体にした手摺端部フラット固定金具。
【発明の詳細な説明】
【０００１】
【発明の属する技術分野】
この発明は角座（１）に突起（２）のついた金具（Ａ）に本体（５）の下向きコの字型（６）に中空スリーブ（９）、（９′）が一体になった金具（Ｂ）と手摺パイプ（Ｃ）が組み込まれて手摺端部フラット固定金具である。
【０００２】
【従来の技術】
従来、手摺端部固定金具があった。
【０００３】
【発明が解決しようとする課題】
これは次のような欠点があった。
（イ）　手摺パイプ（Ｅ）の外側に差し込みにする方式の固定金具（１２）で、手摺パイプ（Ｅ）の外面より固定金具（１２）の厚み（１３）が出て段差となり手触りが悪い。
（ロ）　手摺パイプ（Ｅ）と固定金具（１２）に隙間（１４）があり、ガタつきがあった。
（ハ）　ユーザーから見栄えの悪い点を指摘され、もっと良いものをと要望があ　　　った。
（ニ）　上方より下方に落とし込む方法もあるが、それは工場加工になり、コストがかかりすぎた。
本発明は、これらの欠点を除くためになされたものである。
【０００４】
【課題を解決するための手段】
金具（Ａ）の角座（１）に中空突起（２）を設け、その上面にねじ切り穴（３）を設ける。
又中空突起（２）内にも木ねじ穴（４）を設け、金具（Ｂ）は本体（５）からなり、中空状の下向きコの字型（６）の上面に皿ビス穴（７）を設ける。
その本体（５）と一体に段差（８）を設け、中空スリーブ（９）、（９′）を設ける。
手摺パイプ（Ｃ）の切断切り口内径（１０）に金具（Ｂ）の中空スリーブ（９）、（９′）を段差（８）まで差し込む。
パイプ外面（１１）と金具（Ｂ）の本体（５）の外面が同一面になるよう設定し、金具（Ａ）と金具（Ｂ）と手摺パイプ（Ｃ）を一体にした手摺端部フラット固定金具。
本発明は、以上の構成よりなる手摺端部フラット固定金具である。
【０００５】
【発明の実施の形態】
以下、本発明の実施の形態について説明する。
金具（Ａ）の角座（１）に中空突起（２）を設け、その上面にねじ切り穴（３）を設ける。
又中空突起（２）内にも木ねじ穴（４）を設け、金具（Ｂ）は本体（５）からなり、中空状の下向きコの字型（６）の上面に皿ビス穴（７）を設ける。
その本体（５）と一体に段差（８）を設け、中空スリーブ（９）、（９′）を設ける。
手摺パイプ（Ｃ）の切断切り口内径（１０）に金具（Ｂ）の中空スリーブ（９）、（９′）を段差（８）まで差し込む。
パイプ外面（１１）と金具（Ｂ）の本体（５）の外面が同一面になるよう設定し、金具（Ａ）と金具（Ｂ）と手摺パイプ（Ｃ）を一体にした手摺端部フラット固定金具。
それは手摺パイプ（Ｃ）の外面（１１）と金具（Ｂ）の本体（５）の外面を同一面にし、金具（Ｂ）の中空スリーブ（９）を手摺パイプ（Ｃ）の内径にガタのない正確な寸法で差し込む。
金具（Ｂ）の本体（５）に設けた下向きコの字型（６）をガタのない正確な寸法にして金具（Ａ）の突起（２）に上方より落とし込むことにより、手摺パイプ（Ｃ）の外面（１１）と金具（Ｂ）と金具（Ａ）が同一面となり、フラットに納まることにより目的を解決した。
本発明は、以上のような構造で、これを使用する時は、本体（５）に中空スリーブ（９）が付いた金具（Ｂ）を手摺パイプ（Ｃ）の切断切り口（１０）の両端に金具（Ｂ）の中空スリーブ（９）をそれぞれ両端に差し込んだ状態にし、予め窓両たて枠（Ｄ）に角座（１）に突起（２）の付いた金具（Ａ）を突起内より木ねじ穴（４）で固定している位置に、手摺パイプ（Ｃ）の両端に金具（Ｂ）の下向きコの字型（６）の付いた手摺を水平に保ちながら、上方より両サイドに固定している金具（Ａ）に落とし込み、噛み合った金具（Ｂ）上面の皿ねじ穴よりビス止めをして固定する。
この発明は、手摺パイプ（Ｃ）と窓両立て枠（Ｄ）との間に金具（Ａ）と金具（Ｂ）とを介在させ、手摺パイプ（Ｃ）と同一面に納めることが本発明の目的である。
【０００６】
【発明の効果】
手摺パイプ（Ｃ）外面（１１）と同一面に納まる手摺端部フラット固定金具（Ａ）、（Ｂ）は手触りも良く、見栄えも良いので極めて理想的である。
金具（Ａ）に角座（１）を設けた理由に、例えば角座（１）がない場合、手摺パイプ（Ｃ）の両端小口に金具（Ｂ）が差し込まれた手摺の長さを窓両立て枠面（Ｄ）ぎりぎりの寸法に設定した場合、上方より下方に金具（Ａ）に落とし込む際、両立て枠面（Ｄ）に金具（Ｂ）の先端が立て枠面（Ｄ）に傷をつけていた。　その点、金具（Ａ）に角座（１）を設けた場合、金具（Ｂ）が差し込まれた手摺パイプ（Ｃ）の長さは両立て枠面（Ｄ）内寸法より金具（Ａ）の角座（１）の厚さ（両側）分をマイナスしたことにより、窓立て枠面（Ｄ）より離れることで傷がつかないことが特徴である。
本発明は、手摺パイプ（Ｃ）の切断切り口内径（１０）に差し込み、手摺パイプ（Ｃ）と窓立て枠面（Ｄ）との間に固定金具（Ａ）、（Ｂ）を介在することが特徴である。
本発明は、手摺パイプ（Ｃ）が、角型、丸型、楕円形、異形型にも応用できる特徴を持つ。
【図面の簡単な説明】
【図１】本発明の分解斜視図である。
【図２】本発明の左側の斜視図である。
【図３】本発明の右側の斜視図である。
【図４】従来の丸タイプの分解斜視図である。
【図５】従来の角タイプの分解斜視図である。
【図６】従来の要部を示した一部断面図である。
【図７】従来の要部を示した説明図である。
【図８】従来の要部を示した斜視図である。
【図９】従来の要部を示した一部断面図である。
【図１０】本発明の手摺パイプと同一面に納まる端部固定金具の斜視図である。
【図１１】本発明の他の実施例を示した斜視図である。
【図１２】本発明の他の実施例を示した斜視図である。
【符号の説明】
Ａ　金具
Ｂ　金具
Ｃ　手摺パイプ
Ｄ　窓立て枠
Ｅ　手摺パイプ
１　角座
２　中空突起
３　ねじ切り穴
４　木ねじ穴
５　本体
６　コの字型
７　皿ビス穴
８　段差
９　中空スリーブ
９′中空スリーブ
１０　切断切り口内径
１１　パイプ外面
１２　固定金具
１３　厚み
１４　隙間
１５　ネジ
【図１】
2004003237.tif 000003
【図２】
2004003237.tif 000004
【図３】
2004003237.tif 000005
【図４】
2004003237.tif 000006
【図５】
2004003237.tif 000007
【図６】
2004003237.tif 000008
【図７】
2004003237.tif 000009
【図８】
2004003237.tif 000010
【図９】
2004003237.tif 000011
【図１０】
2004003237.tif 000012
【図１１】
2004003237.tif 000013
【図１２】
2004003237.tif 000014